(57)【特許請求の範囲】
【請求項１】
グリップを兼ねる本体ケース（１）にかみそりヘッド（２）を備えており、
かみそりヘッド（２）に内刃（７）が配置されて、モーター（３）の駆動により内刃（７）が回転駆動可能となっており、
モーター（３）から内刃（７）の内刃軸（７ａ）の間にモーター（３）の動力を内刃（７）に伝達する巻掛け伝動機構が配置されており、
巻掛け伝動機構が、駆動プーリー（８２）と、従動プーリー（８３）と、これら両プーリー（８２・８３）に巻掛けたベルト（８４）とを含み、
巻掛け伝動機構の近傍には、規制体（８５）が設けられており、
規制体（８５）には、両プーリー（８２・８３）間に位置するベルト（８４）の移動を規制するベルト受部（９８）が設けられており、
規制体（８５）の端部にプーリー受部（９７）が設けられており、
駆動プーリー（８２）と従動プーリー（８３）のうち少なくとも従動プーリー（８３）の外側面がプーリー受部（９７）で受止めてあり、
規制体（８５）が、金属製のプレートからなり、
規制体（８５）の中央部分が、プーリー受部（９７）の位置から、沈み込んだ段落ち部分に位置するとともに、その中央部分がかみそりヘッド（２）に固定されており、
従動プーリー（８３）の外側面を規制体（８５）の端部のプーリー受部（９７）により弾性的に押圧可能に構成されていることを特徴とする電気かみそり。
【請求項２】
規制体（８５）の両端部にプーリー受部（９７）が設けられており、
駆動プーリー（８２）および従動プーリー（８３）の外側面を受止めるプーリー受部（９７）に放熱穴（９９）が開口してあることを特徴とする請求項１に記載の電気かみそり。
【発明の詳細な説明】
【技術分野】
【０００１】
本発明は、巻掛け伝動機構を備えた電気かみそりに関する。
【背景技術】
【０００２】
この種巻掛け伝動機構を備える電気かみそりは特許文献１に公知である。そこでは、原動プーリーと、従動プーリーと、これら両プーリーに巻掛けたベルトとを備える巻掛け伝動機構が、モーターと内刃との間に配設されて、モーターの回転動力を内刃に伝達できるよう構成されている。
【先行技術文献】
【特許文献】
【０００３】
【特許文献１】特開２００２−３０６８６５号公報
【発明の概要】
【発明が解決しようとする課題】
【０００４】
特許文献１の電気かみそりは、ベルトに当接するテンションローラーが設けられているが、これは、ベルトの緊張力を調整するものであり、ベルトにおけるプーリー回転軸と同方向の揺れを規制することができない。
【０００５】
本発明の目的は、巻掛け伝動機構のベルトにおけるプーリー回転軸と同方向の揺れを規制できる電気かみそりを提供することにある。
【課題を解決するための手段】
【０００６】
本発明に係る電気かみそりは、グリップを兼ねる本体ケース１にかみそりヘッド２を備えている。かみそりヘッド２に内刃７が配置されて、モーター３の駆動により内刃７が回転駆動可能となっている。モーター３から内刃７の内刃軸７ａの間にモーター３の動力を内刃７に伝達する巻掛け伝動機構が配置されている。巻掛け伝動機構が、駆動プーリー８２と、従動プーリー８３と、これら両プーリー８２・８３に巻掛けたベルト８４とを含む。巻掛け伝動機構の近傍には、規制体８５が設けられており、規制体８５には、両プーリー８２・８３間に位置するベルト８４の移動を規制するベルト受部９８が設けられていることを特徴とする。
【０００７】
規制体８５にプーリー受部９７が設けられている。駆動プーリー８２と従動プーリー８３の少なくとも一方の外側面がプーリー受部９７で受止めてあることを特徴とする。
【０００８】
規制体８５の両端部にプーリー受部９７が設けられている。駆動プーリー８２および従動プーリー８３の外側面を受止めるプーリー受部９７に放熱穴９９が開口してあることを特徴とする。
【０００９】
規制体８５が、金属製のプレートからなる。規制体８５の両端部にプーリー受部９７が設けられている。駆動プーリー８２および従動プーリー８３の外側面がプーリー受部９７で受止められている。規制体８５の中央部分が、プーリー受部９７の位置から、沈み込んだ段落ち部分に位置するとともに、その中央部分がかみそりヘッド２に固定されていることを特徴とする。
【発明の効果】
【００１０】
本発明に係る電気かみそりでは、巻掛け伝動機構を採用することにより、駆動部の静音化が可能となる。また巻掛け伝動機構の近傍に規制体８５を装着し、同プレート８５にベルト受部９８を形成すると、動力伝動時において、ベルト８４の直線移行部における、プーリー回転軸と同方向の揺れをベルト受部９８で規制して、巻掛け伝動機構の伝導効率を向上できる。
【００１１】
規制体８５にプーリー受部９７を設け、駆動プーリー８２と従動プーリー８３の少なくとも一方の外側面をプーリー受部９７で受止めると、駆動プーリー８２または従動プーリー８３の軸方向の移動を規制して、巻掛け伝動機構の伝導効率をさらに向上できる。
【００１２】
規制プレート８５の両端部にプーリー受部９７を設け、駆動プーリー８２および従動プーリー８３の外側面を受止めるプーリー受部９７に放熱穴９９を開口すると、プーリー受壁９７と各プーリー８２・８３の間で生じた摩擦熱を、放熱穴９９から効率よく放出して、各プーリー８２・８３が過熱状態に陥るのを防止できる。
【００１３】
駆動プーリー８２および従動プーリー８３の外側面がプーリー受部９７で受止められていると、駆動プーリー８２および従動プーリー８３の軸方向の移動を規制して、巻掛け伝動機構の伝導効率をさらに向上できる。また、規制体８５の中央部分が、プーリー受部９７の位置から、沈み込んだ段落ち部分に位置するとともに、その中央部分がかみそりヘッド２に固定されていると、固定部から両端部までの長さを長く採ることができるので、規制プレート８５が塑性変形するのを防止でき、ばね性が劣化するのを防止できる。また、規制体８５が、金属製のプレートからなるので、規制体８５が経年劣化するのを防止することができる。
【図面の簡単な説明】
【００１４】
【図１】本発明に係る電気かみそりの傾動構造を概念的に示す説明図である。
【図２】本発明に係る電気かみそりの正面図である。
【図３】本発明に係る電気かみそりの側面図である。
【図４】電気かみそりの概略構造を示す分解側面図である。
【図５】かみそりヘッドの概略構造を亜示す分解正面図である。
【図６】ヘッドブロックの分解斜視図である。
【図７】ヘッドブロックとサイドフレームの縦断正面図である。
【図８】かみそりヘッドの縦断側面図である。
【図９】内刃の駆動構造を示す分解正面図である。
【図１０】前段駆動部を示す分解正面図である。
【図１１】内刃の駆動構造を示す正面図である。
【図１２】内刃の駆動構造を示す側面図である。
【図１３】次段駆動部を示す縦断正面図である。
【図１４】次段駆動部を示す側面図である。
【図１５】従動プーリーと内刃軸の継手構造を示す縦断正面図である。
【図１６】従動プーリーと内刃軸の継手構造を示す縦断側面図である。
【図１７】従動プーリーの継手構造を示す側面図である。
【図１８】かみそりヘッドの分解正面図である。
【図１９】ヘッドブロックの下面の構造を示す底面図である。
【図２０】傾動構造の別の実施例を概念的に示す説明図である。
【図２１】傾動構造のさらに別の実施例を概念的に示す説明図である。
【図２２】傾動構造のさらに別の実施例を概念的に示す説明図である。
【発明を実施するための形態】
【００１５】
（実施例）  図１ないし図１９は、本発明に係る電気かみそりの実施例を示す。本発明における前後、左右、上下とは、図２および図３に示す交差矢印と、矢印の近傍の前後・左右・上下の表記に従う。図２において電気かみそりは、グリップを兼ねる本体ケース１と、本体ケース１で前後傾動可能に支持したかみそりヘッド２を備えている。本体ケース１の内部には、モーター３、２次電池４、および制御基板５などの電装品が配置してある。制御基板５には、モーター３への通電状態をオンオフするスイッチ６や、運転状態を発光表示するＬＥＤなどが実装してある。かみそりヘッド２には水平軸（横軸）まわりに回転駆動されるロータリー式の内刃７と逆Ｕ字状の外刃８が配置してある。図５に示すように内刃７は、交換を容易化するために内刃ホルダー９で片持ち支持してあり、内刃軸７ａを後述する従動プーリー８３に組んだ状態において両持ち支持される。
【００１６】
（本体ケースの概略構造）
図４において本体ケース１は、前後に分割された前ケース１１および後ケース１２と、前ケース１１の前面を覆うグリップケース１３で構成してあり、前後ケース１１・１２の分割線に沿ってグリップケース１３が前ケース１１の表面を覆っている。前ケース１１は、上下に分割した前上ケース１１ａと、前下ケース１１ｂで構成してあり、後ケース１２に対してビス１４で固定してある。グリップケース１３は、その上部および上下中途部が前ケース１１に係合された状態で、ケース下端が後ケース１２の側からねじ込んだビス１５で後ケース１２に固定してある。グリップケース１３の下部には上部および下部が尖った舟形のスイッチパネル１６が配置されて、その上端寄りに先のスイッチ６を切換え操作するスイッチボタン１７が配置してある。本体ケース１の後面側には、きわ剃り刃１８と、きわ剃り刃１８を駆動位置へ押し上げ操作するスライドノブ１９が設けてある。
【００１７】
（かみそりヘッドの概略構造）
図５においてかみそりヘッド２は、ヘッドブロック２２と、ヘッドブロック２２の左右に固定したサイドフレーム２３・２４と、内刃７および外刃８と、ヘッドブロック２２に対して着脱される内刃ホルダー９と、サイドフレーム２３・２４に着脱される外刃ホルダー２６などで構成してある。図６および図７に示すようにヘッドブロック２２は、角皿状のベース体２７と、ベース体２７の上面に配置した金属板製の補強プレート２８と、補強プレート２８の上面を覆うカバー体２９などで構成して、補強プレート２８によってヘッドブロック２２の構造強度を増強している。また、構造強度に優れたヘッドブロック２２で左右一対のサイドフレーム２３・２４を強固に支持できるので、内刃７およびサイドフレーム２３・２４が歪むのを確実に防止して内刃７の切れ味を安定化できる。
【００１８】
ヘッドブロック２２の内部には、ＬＥＤ基板３０とパッキン３１と透明な導光板３２が収容してある。ＬＥＤ基板３０には３個の光源（ＬＥＤ）３３が実装してあり、これらの光源３３から紫外線を照射して、内刃７の周面や外刃ホルダー２６の内面などに付着している毛屑や皮脂の表面を殺菌する。補強プレート２８には、各光源３３に対応する透光窓２８ａが形成してある。補強プレート２８およびカバー体２９はビス３４でベース体２７に締結固定してあり（図７参照）、ＬＥＤ基板３０はビス３５で導光板３２に締結固定してある（図８参照）。図１８に示すように、外刃８の前後縁には外刃枠５６が固定してあり、後側の外刃枠５６を圧縮ばね５７で押し下げ付勢することにより、外刃８を内刃７に密着させている。
【００１９】
図９に示すように、左右のサイドフレーム２３・２４は、それぞれビス３６でベース体２７に締結固定されるフレーム枠２３ａ・２４ａと、同枠の外側面を覆う枠カバー２３ｂ・２４ｂで中空ケース状に構成してある。サイドフレーム２３・２４をベース体２７に固定した状態では、フレーム枠２３ａ・２４ａの下側がベース体２７より下方に突出している。これにより、ヘッドブロック２２とサイドフレーム２３・２４の３者で、本体ケース１の上部を左右から挟む門型の連結凹部３７を形成している（図７参照）。左右のサイドフレーム２３・２４の対向面には、後述する回動軸３８に連結される軸受部３９が形成してある。図５に向かって右側のサイドフレーム２４は、その上半部分がベース体２７より上方に突出しており、この突出部分の上部に従動プーリー８３を回転自在に支持するための軸受体（ボス）４０が装着してある（図７参照）。軸受体４０はポリアセタール樹脂で形成してある。サイドフレーム２３・２４には、外刃ホルダー２６をロック保持するロック爪４１とロックばね４２が組み付けてある。ロック爪４１は、外刃ホルダー２６の側壁内面に設けた係合凹部４３（図１８参照）と係合する向きにロックばね４２で付勢してある。
【００２０】
（首振り構造）
かみそりヘッド２は、本体ケース１の側に設けた回動軸３８を中心にして前後方向へ傾動可能に支持してあり、本体ケース１とかみそりヘッド２の間に配置した復帰ばね４５で傾動待機位置（図８に示す状態）へ向かって復帰付勢してある。回動軸３８の中心軸は正面から見て水平になっており、かみそりヘッド２が傾動待機位置にあるとき、回動軸３８は、その軸端と正対する向き（側面）から見るときのかみそりヘッド２のヘッド中心軸Ｐ１に対して後側へ偏寄配置してある（図１参照）。また、回動軸３８の軸端と正対する向きから見るときのかみそりヘッドの重心Ｇは、回動軸３８の中心を通る垂直軸Ｖに対して前側へ偏寄させてあり、さらに、かみそりヘッド２のヘッド中心軸Ｐ１は、回動軸３８の軸端と正対する向きから見るときの本体ケース１のグリップ中心軸Ｐ２に対して重心Ｇ側（前側）へ傾斜している。この実施例においては、重心Ｇをヘッド中心軸Ｐ１上に位置させている。回動軸３８は連結凹部３７の対向壁と本体ケース１の間に配置してある。
【００２１】
上記のように、回動軸３８をかみそりヘッド２の下部に配置すると、かみそりヘッド２の切断刃面から回動軸３８の中心までの距離を大きくできるので、その分だけかみそりヘッド２に作用する傾動モーメントを大きくできる。従って、かみそりヘッド２を軽快に傾動させて、切断刃面を肌面の変化に応答よく追随させることができ、ひげ切断を効果的に行うことができる。また、前後傾動するかみそりヘッド２の動きを明確に目視できるので、従来にない興趣に富む電気かみそりとすることができる。さらに、かみそりヘッド２の下面を親指と人差し指で支持して、前後傾動を規制した状態でひげ切断を効果的に行うことができる。
【００２２】
復帰ばね４５は捩じりコイルばねからなり、ばねホルダー４６に装着した状態で、本体ケース１およびかみそりヘッド２の左右中心に配置されて、本体ケース１に組付けてある。図７に示すように復帰ばね４５は、左右一対のコイル部４７と、両コイル部４７どうしを繋ぐ門形のばね腕４８と、対向する係止部４９を一体に備えている。ばねホルダー４６は側面視が銀杏葉状に形成してあり、その左右にコイル部４７を収容するばね室５０が形成してある。
【００２３】
復帰ばね４５をばねホルダー４６に組付けた状態において、ばね腕４８の上部はばねホルダー４６の上方に突出している（図７、図８参照）。また、ばねホルダー４６をビス５１で本体ケース１の上部に設けた締結座５２に締結した状態においては、ばね腕４８の上部がベース体２７の下面中央に突設したばね受座５３に接当して、かみそりヘッド２の全体を図８において時計回転方向へ復帰付勢している。復帰ばね４５とばね受座５３は、ヘッド中心軸Ｐ１より後側へ偏寄した状態で配置してある。組立時には、復帰ばね４５をばねホルダー４６に対して、適正な姿勢でしかも位置決めした状態で予め組んだのち、ばねホルダー４６をビス５１で締結固定すればよいので、復帰ばね４５の組付け作業を簡便に行える。
【００２４】
上記のように、サイドフレーム２３・２４に設けた軸受部３９を回動軸３８に連結することにより、かみそりヘッド２は前後傾動できるが、この傾動範囲を規定するために回動軸３８と軸受部３９の嵌合面に傾動規制構造を設けている。詳しくは、図９に示すように、回動軸３８の周面に角リブ状の規制突起５４を設け、軸受部３９にサイドフレーム２３・２４の傾動範囲を規定する規制溝５５を設けている。かみそりヘッド２が前側へ傾動するときサイドフレーム２３・２４は同行傾動するが、規制溝５５の溝端が規制突起５４に接当したら、それ以上傾動することはできない。因みに、かみそりヘッド２の傾動角度は１５度である。以上のように傾動規制構造を設けると、かみそりヘッド２が過剰に傾動するのを規制できる。また、かみそりヘッド２の傾動範囲が傾動規制構造によって規定されるので、復帰ばね４５に過剰な力が作用することもなく、かみそりヘッド２を常に適正に傾動待機位置へ復帰操作できる。
【００２５】
（内刃の駆動構造）
上記のように、首振り可能に支持したかみそりヘッド２の内刃７を回転駆動するために、本体ケース１の上部から内刃軸７ａにわたって内刃の駆動構造を配置している。内刃の駆動構造は、本体ケース１の内部に設けた前段駆動部Ｔ１と、前段駆動部Ｔ１の回転動力を内刃軸７ａに伝動する次段駆動部Ｔ２で構成する。
【００２６】
（前段駆動部の構造）
図１０および図１１において、前段駆動部Ｔ１は、モーター３と、モーター３を支持するモーターホルダー５９と、モーターホルダー５９の左右に固定される一対の駆動部フレーム６０と、モーターホルダー５９および駆動部フレーム６０に組付けたギヤトレインなどで構成する。図１０に示すように、モーターホルダー５９の左右両側には、位置決めピン６１を備えた連結座６２が形成してあり、駆動部フレーム６０を連結座６２に接当して２個のビス６３で締結することにより、駆動部フレーム６０をモーターホルダー５９と一体化している。固定状態の駆動部フレーム６０はその大半がモーターホルダー５９より上方へ突出している。駆動部フレーム６０の全体の構造強度を増強し、さらに回動軸３８の構造強度を向上するために、駆動部フレーム６０は、金属製（ステンレス板材）のフレームベース６４と、プラスチック成形品からなるフレーム枠６５を一体化して形成してあり、フレーム枠６５の成形時にフレームベース６４をインサート固定している。また、フレーム枠６５の外側面の上部に、回動軸３８を一体に形成している。モーター３の下半部は、モーターホルダー５９の下部に装着した有底筒状のシール体６６で水密状に覆ってある。
【００２７】
ギヤトレインは、モーター動力を減速する減速ギヤ機構として構成されており、６個のギヤ６８〜７３と、水平の第１軸７４および第２軸７５で構成する。詳しくは、第１ギヤ６８はモーター３の出力軸に固定してあり、第２ギヤ６９と第３ギヤ７０は一体に形成されて、モーターホルダー５９で縦軸回りに回転自在に支持してある。第４ギヤ７１と第５ギヤ７２は第１軸７４に固定してあり、第６ギヤ７３は第２軸７５に固定してある。第３ギヤ７０と第４ギヤ７１はベベルギヤからなり、両ギヤ７０・７１によってモーター３の回転動力を水平の第１軸７４回りの回転動力に変換している。
【００２８】
第１軸７４の両端は、左右の駆動部フレーム６０で回転自在に支持してあり、第２軸７５は図１０に向かって右側の駆動部フレーム６０に設けた軸受体（ブッシュ）７６で回転自在に支持されて、その軸端が回動軸３８の外側方に突出している。この突出軸部分がギヤトレインの出力軸７７となる。第１ギヤ６８の上面には偏心カム７８が設けてあり、同カム７８で振動子７９を往復駆動することにより、きわ剃り刃１８の可動刃を往復駆動できるようにしている。軸受体７６は銅合金製の含油メタル、あるいはベアリングで構成してある。上記のように、構造強度が高いモーター３およびモーターホルダー５９と駆動部フレーム６０を支持構造にして前段駆動部Ｔ１のギヤトレインを構成した駆動構造によれば、ギヤトレインを構成するギヤ同士の噛合い精度を高度化して、モーター３の回転動力を効率よく内刃７に伝動できる
【００２９】
（次段駆動部の構造）
次段駆動部Ｔ２は、図９に向かって右側のサイドフレーム２４の外側面に配置した巻掛け伝動機構からなる。具体的には、先の出力軸７７に固定した駆動プーリー８２と、内刃軸７ａに固定した従動プーリー８３と、これら両プーリー８２・８３に巻掛けたタイミングベルト（ベルト）８４と、タイミングベルト８４の外側面を覆う規制プレート（規制体）８５などで巻掛け伝動機構を構成し、その側外方を枠カバー２４ｂで覆っている。タイミングベルトは、ポリイミド繊維をウレタンゴムに混入した成形品からなる。
【００３０】
図１３に示すように、駆動プーリー８２および従動プーリー８３の外側面にはフランジ８７、８８が張出してある。また、従動プーリー８３のフランジ８８の外面の中央には丸軸状の軸部８９が突設され、フランジ８７の内面にはギヤ歯を備えたベルト巻装部９０とプーリーボス９１が一体に形成してある。図１５に示すように枠カバー２４ｂは、その上端に設けた係合爪９２をフレーム枠２４ａの係合段部９３に係合し、カバー壁の上下中途部をビス９４でフレーム枠２４ａに締結することにより、フレーム枠２４ａと一体化してある。従動プーリー８３は、そのプーリーボス９１が軸受体４０で回転自在に支持してある。軸受体４０は図１４に示すように、円筒状の軸受部１２７と、軸受部１２７から前後に張出したフランジ壁１２８を一体に備えている。軸受部１２７をサイドフレーム２４の装着穴１２９に差込み、フランジ壁１２８を装着穴１２９の前後の係合凹部１３０に係合することにより、軸受体４０を回転不能に保持できる。係合凹部１３０とフランジ壁１２８には、互いに係合するピン１３１とピン溝１３２が形成してある。
【００３１】
規制プレート（規制体）８５は、ステンレス板材を素材とするプレス成型品からなる。つまり、規制プレート（規制体）８５は、上下方向に長い金属製の板（プレート）からなる。規制プレート（規制体）８５は、平坦面からなり、側面視においてプレートの軸方向に長い長方形状のベースプレート８５ａと、ベースプレート８５ａの上端に連続して形成され、平坦面からなり、正面視において傾斜、側面視においてプレートの軸方向と直交する方向に長い長方形状の上側の中プレート８５ｂと、ベースプレート８５ａの下端に連続して形成され、平坦面からなり、正面視において傾斜、側面視においてプレートの軸方向と直交する方向に長い台形状の下側の中プレート８５ｂと、上下の中プレート８５ｂの上下端に連続して形成され、平坦面からなり、正面視においてベースプレート８５ａと平行であり、側面視において、頂点を丸くした二等辺三角形状の端部プレート８５ｃとを含んで構成されている。図１４に示すようにプレートの上下端部分、すなわち、端部プレート８５ｃの自由端側に、フランジ８７・８８の外側面を受止めるプーリー受壁（プーリー受部）９７が設けてあり、プレートの中央部分、すなわちベースプレート８５ａのプレート板面の前後にベルト受壁（ベルト受部）９８が設けてある。ベルト受壁９８は、タイミングベルト８４の直線移行部の外側面を受止めて、タイミングベルト８４が左右方向（プーリー回転軸と同方向）へ揺れるのを規制する。このように、プーリー受壁９７で駆動プーリー８２および従動プーリー８３に軸方向の移動を規制し、さらにベルト受壁９８でタイミングベルト８４の左右方向への揺れを規制すると、伝動ロスを小さくして巻掛け伝動機構の伝導効率を向上できる。また、ひげ切断時の切断負荷が大きい場合でも、従動プーリー８３および内刃７を円滑に回転駆動して、ひげ切断を効果的に行うことができる。
【００３２】
上下の端部プレート８５ｃの端部寄りの部分には、それぞれプーリー受壁９７と各プーリー８２・８３の間で生じた摩擦熱を逃がすための放熱穴９９が開口してあり、プレートの上下中途部、すなわち中プレート８５ｂとベースプレート８５ａに跨る部分には先のビス９４用のねじボスを避けるための逃げ穴１００が形成してある（図１４参照）。規制プレート８５は、上下の放熱穴９９が軸部８９および出力軸７７に隙間を介して嵌まり込むように組付けられて、サイドフレーム２４のボス２４ｃにベースプレート８５ａの中央部分に設けた取付穴８５ｄを介してねじ込んだビス１０１で締結固定してある。つまり、規制プレート８５は、ベースプレート８５ａをサイドフレーム２４に固定することにより固定されている。このとき、ボス２４ｃの側面視の面積はベースプレート８５ａの側面視の面積より小さいので、ベースプレート８５ａに撓み部分を有する。ビス１０１で締結されるベースプレート８５ａと端部プレート８５ｃの間に位置する中プレート８５ｂは、上述したように傾斜した状態で配設されている。これにより、ベースプレート８５ａの固定部から端部プレート８５ｃのプーリー受壁９７・９８までの板の長さを長くすることができる。したがって、規制プレート８５が塑性変形するのを防止でき、ばね性が劣化するのを防止できる。ばね性が劣化すれば各プーリー８２・８３がガタついてしまう。換言すれば、規制プレート８５において、その上下中央部分が、上下のプーリー受壁９７に対して沈み込んだ段落ち状に凹ませてあり、その凹み位置にある中央部分が、かみそりヘッド２の一部を構成するサイドフレーム２４に固定されることで、上下両端部のプーリー受壁９７に弾性を持たせることができる。これにより、上下のプーリー受壁９７が各プーリー８２・８３を弾性的に押圧できる。また各プーリー８２・８３の外側面と各プーリー受壁９７とがゼロゼロの寸法設定で配置されて各プーリー８２・８３の外側面を各プーリー受壁９７で受け止めている場合でも、規制プレート８５が塑性変形するのを防止できるので、各プーリー８２・８３がガタついてしまうのを防止できる。上側の放熱穴９９と正対する枠カバー２４ｂの側壁には、放熱穴１０２が形成してある（図１５参照）。放熱穴１０２を設けることにより、プーリー受壁９７の周辺部分に熱がこもるのを解消して、各プーリー８２・８３が過熱されるのを確実に防止できる。
【００３３】
上記ように、内刃７を前段駆動部Ｔ１と次段駆動部Ｔ２からなる駆動構造で回転駆動する電気かみそりにおいて、構造強度が高いモーター３およびモーターホルダー５９と駆動部フレーム６０を支持構造にして前段駆動部Ｔ１のギヤトレインを構成するようにした。こうした駆動構造によれば、ギヤトレインを構成するギヤ同士の噛合い精度を高度化して、モーター３の回転動力を効率よく内刃７に伝動できる。また、駆動部フレーム６０に設けた一対の回動軸３８でかみそりヘッド２の左右を支持するので、かみそりヘッド２を安定した状態で前後に傾動できるうえ、グリップ中心軸Ｐ２回りの外力に対するかみそりヘッド２の強度を向上できる。さらに、出力軸７７を次段駆動部Ｔ２の駆動軸としてそのまま利用できるので、伝動構造が複雑になるのを防止して構造の簡素化を実現できる。
【００３４】
また、ギヤトレインの出力軸７７を回動軸３８で軸支するので、両駆動部Ｔ１・Ｔ２の間の回動軸３８を中心にして、かみそりヘッド２を前後傾動できるので、前段駆動部Ｔ１から次段駆動部Ｔ２への回転動力の伝動を円滑に行える。さらに、出力軸７７を次段駆動部Ｔ２の駆動軸としてそのまま利用できるので、伝動構造が複雑になるのを防止して構造の簡素化を実現できる。
【００３５】
（継手構造）
従動プーリー８３に伝動された回転動力を内刃軸７ａへ伝動し、さらに内刃７の交換を容易化するために、両者８３・７ａを互いに係合する軸継手で連結している。図１５ないし図１７に示すように、従動プーリー８３のプーリーボス９１の内部には、内刃軸７ａを軸支する軸受穴１０６が設けてあり、軸受穴１０６の開口端側に、内刃軸７ａの軸端を軸受穴１０６へ向かって係合案内する導入ガイド穴１０７がテーパー状に形成してある。また、軸受穴１０６の内奥には継手穴部１０８が形成してある。軸継手は、内刃軸７ａの軸端に設けた平行な平坦面を備えた継手軸部１０９と、この継手軸部１０９と係合する十文字状の継手穴部１０８とで構成してある。この実施例では、軸受穴１０６の内面の４か所に三角形状の突起１１０を突設して、各突起１１０の対向面間に継手穴部１０８を形成した。上記のように、継手穴部１０８と継手軸部１０９で構成した継手構造によれば、継手軸部１０９をプーリーボス９１の内部の軸受穴１０６に差込んで継手穴部１０８に係合するだけで、内刃７と従動プーリー８３を簡単に連結できる。また、内刃軸７ａが従動プーリー８３から分離する向きに内刃７を引張り操作するだけで、内刃７を従動プーリー８３から簡単に分離できるので、内刃７の交換を簡便に行うことができる。
【００３６】
図１５に示すように、従動プーリー８３の構造強度を向上するために、軸受穴１０６の内奥端をフランジ８８の内面を通る垂直平面の近傍に位置させて、従動プーリー８３の強度を内刃軸７ａで補強している。つまり、従動プーリー８３のベルト巻装部９０の内部中央において継手穴部１０８と継手軸部１０９を係合させることにより、継手穴部１０８と継手軸部１０９の係合深さを大きくして、内刃軸７ａで従動プーリー８３の構造強度を向上している。
【００３７】
（内刃係合構造）
図１８に示すように、装着前の内刃７は先に説明したように、内刃ホルダー９で片持ち支持されている。この状態の内刃７を従動プーリー８３とヘッドブロック２２に対して適正に位置決めするために、内刃ホルダー９とヘッドブロック２２のカバー体２９の間に内刃係合構造を設けている。図６に示すように内刃係合構造は、カバー体２９の上面に設けた前後一対の支持枠１１４と、支持枠１１４の対向面に形成した横長リブ状の３個の枠支持体１１５と、内刃７の下方に配置されて内刃ホルダー９から内刃軸７ａと平行に突設した連結体１１６（図１８参照）で構成する。３個の枠支持体１１５のうち、左右の枠支持体１１５は支持枠１１４の上縁に沿って形成し、中央の枠支持体１１５は支持枠１１４の下縁に沿って形成してあり、これら枠支持体１１５の上下の隙間部分１１７を連結体１１６がスライドして枠支持体１１５と係合する（図８参照）。
【００３８】
連結体１１６は平面から見て門形のステンレス板材製のプレス成形品からなり、その基端部分に設けた上向きのアーム部１１８を内刃ホルダー９の成形時にインサートして、内刃ホルダー９と一体化してある。内刃交換を容易化するために、内刃ホルダー９から連結体１１６の突端までの寸法Ｌを、内刃ホルダー９から内刃軸７ａの継手軸部１０９の突端までの寸法Ｌ１より小さく設定している。さらに、内刃ホルダー９から連結体１１６の突端までの寸法を、内刃７の切断刃面の左右長さＬ２より小さく設定している。
【００３９】
上記のように、各寸法および長さの関係をＬ＜Ｌ２＜Ｌ１とすることにより、連結体１１６をカバー体２９の枠支持体１１５の間の隙間部分に側方から差込んでスライドするとき、継手軸部１０９を軸受穴１０６に係合させ、さらに継手穴部１０８に係合させることができる。また、連結体１１６を枠支持体１１５にスライド係合する過程で、内刃７の遊端側がぐら付くことがあっても、内刃７の切断刃面が連結体１１６に接当して刃面が傷つくのを解消できる。内刃軸７ａを従動プーリー８３に完全に連結した状態では、内刃軸７ａが従動プーリー８３のプーリーボス９１と内刃ホルダー９で両持ち状に確りと軸支される。
【００４０】
上記のように、カバー体２９に装着した内刃ホルダー９が、従動プーリー８３から遠ざかる向きへ分離移動するのを阻止するために、内刃ホルダー９とカバー体２９の間に内刃ロック構造を設けている。内刃ロック構造は、内刃ホルダー９の内部に組付けた内刃ロック爪１２１と、内刃ロック爪１２１を下向きに進出付勢する付勢ばね１２２と、カバー体２９に凹み形成した係合凹部１２３で構成してある。内刃ホルダー９をカバー体２９に組付けた状態においては、内刃ロック爪１２１が係合凹部１２３に係合して、内刃７および内刃ホルダー９を分離移動不能に位置保持する。内刃７を取外す場合には、図１８において内刃ホルダー９を左側へスライドさせて、係合凹部１２３に係合している内刃ロック爪１２１を付勢ばね１２２に抗して上方へ退入させ、ロック状態を解除する。さらに、連結体１１６を枠支持体１１５から抜き出すことにより、内刃７を取外すことができる。上記のように内刃ロック構造を設けると、落下衝撃が作用するような場合であっても、内刃７および内刃ホルダー９が従動プーリー８３から分離するのを確実に防止できる。なお、内刃ロック爪１２１の外側面に操作片１２４が設けてある場合には、操作片を操作して内刃ロック爪１２１を付勢ばね１２２に抗して押上げ、内刃ホルダー９を抜き出し操作することにより、内刃７を取外すことができる。
【００４１】
図８に示すように、かみそりヘッド２を傾動待機位置から前方へ傾動させる必要上、本体ケース１とかみそりヘッド２の間には、傾動角度に相当する隙間が確保してある。詳しくは、ベース体２７の下面１３５と前ケース１１の上面１３６の間に、復帰ばね４５へ向かって先すぼまり状の隙間が形成してある。この隙間には毛屑や塵埃が入込みやすいが、隙間に入り込んだ毛屑や塵埃を洗い流すために、隙間をクリーニング空間Ｓとして利用している。また、クリーニング空間Ｓの前部に臨んで斜めの水ガイド面１３７を形成し、その両側端に、洗浄水をクリーニング空間Ｓの中央へ向かって案内する導水面１３８を斜めに形成している（図２参照）。図１９に示すように、導水面１３８は水ガイド面１３７より膨出している。
【００４２】
上記のように、本体ケース１とかみそりヘッド２の間にクリーニング空間Ｓを形成すると、同空間Ｓに入り込んだ毛屑や塵埃を洗浄水で簡単に洗い流すことができる。また、クリーニング空間Ｓに送給した洗浄水を復帰ばね４５の周囲に流動させて、復帰ばね４５の洗浄も併せて行うことができる。さらに、クリーニング空間Ｓに流れ込む洗浄水を水ガイド面１３７と導水面１３８で、クリーニング空間Ｓの左右中央に集中させて、より強い水流で毛屑や塵埃を確実に洗い流すことができる。また、クリーニング空間Ｓの中央を流れる洗浄水で復帰ばね４５をさらに確実に洗浄できる。
【００４３】
上記構成の電気かみそりにおいては、かみそりヘッド２が傾動待機位置にある状態において、回動軸３８の軸端と正対する向きから見るときのかみそりヘッド２のヘッド中心軸Ｐ１に対して、回動軸３８を後側へ偏寄配置した。このように、回動軸３８をヘッド中心軸Ｐ１に対して敢えて偏寄配置すると、かみそりヘッド２を傾動しやすい不安定な状態で支持できる。また、外刃８を肌面に押付けた状態において、回動軸３８の偏寄量に相当するモーメントアームを含む傾動モーメントを、かみそりヘッド２に作用させることができる。従って、モーメントアームの分だけ、かみそりヘッド２を小さな力で傾動させることができるのはもちろん、かみそりヘッド２を肌面の変化に追随して応答よく傾動させて、ひげ切断を効果的に行うことができる。また、かみそりヘッド２は回動軸３８の回りに前後傾動するだけであるので、従来の全方位方向へ傾動できる電気かみそりに比べて、傾動構造を著しく簡素化でき、部品点数と組立に要する手間を削減して電気かみそりの製造に要するコストを削減できる利点もある。
【００４４】
また、かみそりヘッド２の重心Ｇを回動軸３８の中心を通る垂直軸Ｖに対して偏寄させることにより、自重による傾動モーメントをかみそりヘッド２に作用させることができるので、かみそりヘッド２をさらに軽快に傾動させて、切断刃面を肌面の変化に応答よく追随させることができる。
【００４５】
かみそりヘッド２の切断刃面を回動軸３８の中心を通る垂直軸Ｖに対して偏寄させると、切断刃面が垂直軸Ｖ上にある場合に比べて、切断刃面と垂直軸Ｖの偏寄量に相当するモーメントアームを含む傾動モーメントを、かみそりヘッド２に作用させることができる。従って、かみそりヘッド２をさらに軽快に傾動させて、切断刃面を肌面の変化に応答よく追随させることができ、ひげ切断をさらに効果的に行うことができる。
【００４６】
かみそりヘッド２のヘッド中心軸Ｐ１を、本体ケース１のグリップ中心軸Ｐ２に対して重心Ｇ側へ傾斜させると、重心Ｇの位置を回動軸３８から遠ざけて、かみそりヘッド２の自重による傾動モーメントを大きくすることができる。また、自重による傾動モーメントが大きくなる分だけ、かみそりヘッド２を軽快に傾動させて、ひげ切断を効果的に行うことができる。
【００４７】
上記電気かみそりは以下の態様で実施することができる。
【００４８】
グリップを兼ねる本体ケース１の上部にかみそりヘッド２を備えており、
かみそりヘッド２に横軸まわりに回転する内刃７が配置されて、モーター３の駆動により内刃７が回転駆動可能となっており、
モーター３から内刃７の内刃軸７ａの間にモーター３の動力を内刃７に伝達する巻掛け伝動機構が配置されており、
巻掛け伝動機構が、駆動プーリー８２と、従動プーリー８３と、これら両プーリー８２・８３に巻掛けたベルト８４とを含み、
巻掛け伝動機構の近傍には、規制体８５が設けられており、
規制体８５には、両プーリー８２・８３間に位置するベルト８４のプーリーの回転軸と同方向の移動を規制するベルト受部９８が設けられていることを特徴とする電気かみそり。
【００４９】
グリップを兼ねる本体ケース１の上部にかみそりヘッド２を備えており、
かみそりヘッド２に横軸まわりに回転する内刃７が配置されて、モーター３の駆動により内刃７が回転駆動可能となっており、
モーター３から内刃７の内刃軸７ａの間にモーター３の動力を内刃７に伝達する巻掛け伝動機構が配置されており、
巻掛け伝動機構が、駆動プーリー８２と、従動プーリー８３と、これら両プーリー８２・８３に巻掛けたベルト８４とを含み、
巻掛け伝動機構の近傍には、規制体８５が設けられており、
規制体８５にプーリー受部９７が設けられており、
駆動プーリー８２と従動プーリー８３の少なくとも一方の外側面がプーリー受部９７で受止めてあることを特徴とする電気かみそり。
【００５０】
グリップを兼ねる本体ケース１の上部にかみそりヘッド２を備えており、
かみそりヘッド２に横軸まわりに回転する内刃７が配置されて、モーター３の駆動により内刃７が回転駆動可能となっており、
モーター３から内刃７の内刃軸７ａの間にモーター３の動力を内刃７に伝達する巻掛け伝動機構が配置されており、
巻掛け伝動機構が、駆動プーリー８２と、従動プーリー８３と、これら両プーリー８２・８３に巻掛けたベルト８４とを含み、
巻掛け伝動機構の近傍には、規制体８５が設けられており、
規制体８５の両端部にプーリー受部９７が設けられており、
駆動プーリー８２および従動プーリー８３の外側面を受止めるプーリー受部９７の中央に放熱穴９９が開口してあることを特徴とする電気かみそり。
【００５１】
グリップを兼ねる本体ケース１の上部にかみそりヘッド２を備えており、
かみそりヘッド２に横軸まわりに回転する内刃７が配置されて、モーター３の駆動により内刃７が回転駆動可能となっており、
モーター３から内刃７の内刃軸７ａの間にモーター３の動力を内刃７に伝達する巻掛け伝動機構が配置されており、
巻掛け伝動機構が、駆動プーリー８２と、従動プーリー８３と、これら両プーリー８２・８３に巻掛けたベルト８４とを含み、
巻掛け伝動機構の近傍には、規制体８５が設けられており、
規制体８５が、金属製のプレートからなり、
規制体８５の両端部にプーリー受部９７が設けられており、
駆動プーリー８２および従動プーリー８３の外側面がプーリー受部９７で受止められており、
規制体８５の中央部分が、プーリー受部９７の位置から、沈み込んだ段落ち部分に位置するとともに、その中央部分がかみそりヘッド２に固定されていることを特徴とする電気かみそり。
【００５２】
図２０ないし図２２は、それぞれ電気かみそりの別の実施例を示す。図２０は電気かみそりの正面図を示しており、本体ケース１の上部右側にブラケット１４１を設け、ブラケット１４１に配置した回動軸３８でかみそりヘッド２を左右傾動可能に支持した。また、かみそりヘッド２の内部にモーター３を配置して、その回転動力を図示していないギヤトレインで内刃軸７ａに伝動して、内刃７を回転駆動するようにした。かみそりヘッド２は、図示している傾動待機位置から回動軸３８の回りに反時計回転方向へ向かって側方傾動できる。この実施例から理解できるように、モーター３は本体ケース１とかみそりヘッド２のどちらの側に設けてあってもよい。
【００５３】
この実施例の電気かみそりにおいては、かみそりヘッド２が傾動待機位置にあるとき、回動軸３８の軸端と正対する向き（正面）から見るときのかみそりヘッド２のヘッド中心軸Ｐ１に対して、回動軸３８を右側へ偏寄配置している。また、回動軸３８の軸端と正対する向きから見るときのかみそりヘッドの重心Ｇは、ヘッド中心軸Ｐ１上にあって、回動軸３８の中心を通る垂直軸Ｖに対して左側へ偏寄させてある。グリップ中心軸Ｐ２は、ヘッド中心軸Ｐ１の延長上にある。
【００５４】
図２１は電気かみそりの側面図を示しており、本体ケース１の上部左右にブラケット１４１を設け、ブラケット１４１に配置した回動軸３８でかみそりヘッド２を前後傾動可能に支持した。また、かみそりヘッド２には内刃７と外刃８を前後一対ずつ設けた。かみそりヘッド２は、図示している傾動待機位置から回動軸３８の回りに反時計回転方向へ向かって前方傾動できる。この実施例の電気かみそりにおいては、かみそりヘッド２が傾動待機位置にあるとき、回動軸３８の軸端と正対する向き（側面）から見るときのかみそりヘッド２のヘッド中心軸Ｐ１に対して、回動軸３８を右側へ偏寄配置している。また、回動軸３８の軸端と正対する向きから見るときのかみそりヘッドの重心Ｇは、回動軸３８の中心を通る垂直軸Ｖ上位置させてある。グリップ中心軸Ｐ２はヘッド中心軸Ｐ１の延長上にある。
【００５５】
図２２は電気かみそりの側面図を示しており、本体ケース１の上部左右にブラケット１４１を設け、ブラケット１４１に配置した回動軸３８でかみそりヘッド２を前後傾動可能に支持した。また、かみそりヘッド２には内刃７と外刃８を前後一対ずつ設けた。かみそりヘッド２は、図示している傾動待機位置から回動軸３８の回りに反時計回転方向へ向かって前方傾動できる。この実施例の電気かみそりにおいては、かみそりヘッド２が傾動待機位置にあるとき、回動軸３８の軸端と正対する向き（側面）から見るときのかみそりヘッド２のヘッド中心軸Ｐ１に対して、回動軸３８を右側へ偏寄配置している。また、回動軸３８の軸端と正対する向きから見るときのかみそりヘッドの重心Ｇは、ヘッド中心軸Ｐ１と回動軸３８の中心を通る垂直軸Ｖとの間に位置しており、垂直軸Ｖに対して左側へ偏寄させてある。グリップ中心軸Ｐ２はヘッド中心軸Ｐ１の延長上にある。
【００５６】
上記の実施例では、かみそりヘッド２が傾動待機位置から前方、または側方へ傾動する場合について説明したが、かみそりヘッド２は傾動待機位置（中立位置）から前後、あるいは左右双方へ傾動可能に支持してあってもよい。本発明は、内刃が横軸まわりに回転するロータリー式の電気かみそりに限らず、内刃が縦軸まわりに回転する回転式の電気かみそりにも適用できる。また、実施例においては、前段駆動部Ｔ１を有しているが、これを省略して、モーター３の出力軸を直接、駆動プーリー８２に連結して、ギヤトレイン部を備えない駆動部とすることができる。この場合、ギヤトレインを有していないので、さらなる静音化が可能となる。本体ケース１に対してかみそりヘッド２が傾動可能に連結されているものに限らず、本体ケース１に対してかみそりヘッド２が固定された一体的構成のものであってもよい。
【符号の説明】
【００５７】
１    本体ケース
２    かみそりヘッド
３    モーター
７    内刃
７ａ  内刃軸
８    外刃
９    内刃ホルダー
２２  ヘッドブロック
２３・２４  サイドフレーム
３８  回動軸
３９  軸受部
４５  復帰ばね
４６  ばねホルダー
８５  規制プレート（規制体）
９７  プーリー受壁（プーリー受部）
９８  ベルト受壁（ベルト受部）
Ｐ１  ヘッド中心軸
Ｐ２  グリップ中心軸
Ｖ    垂直軸
Ｇ    重心
Ｔ１  前段駆動部
Ｔ２  次段駆動部
【図１】
0006495718.tif 000002
【図２】
0006495718.tif 000003
【図３】
0006495718.tif 000004
【図４】
0006495718.tif 000005
【図５】
0006495718.tif 000006
【図６】
0006495718.tif 000007
【図７】
0006495718.tif 000008
【図８】
0006495718.tif 000009
【図９】
0006495718.tif 000010
【図１０】
0006495718.tif 000011
【図１１】
0006495718.tif 000012
【図１２】
0006495718.tif 000013
【図１３】
0006495718.tif 000014
【図１４】
0006495718.tif 000015
【図１５】
0006495718.tif 000016
【図１６】
0006495718.tif 000017
【図１７】
0006495718.tif 000018
【図１８】
0006495718.tif 000019
【図１９】
0006495718.tif 000020
【図２０】
0006495718.tif 000021
【図２１】
0006495718.tif 000022
【図２２】
0006495718.tif 000023